(57)【要約】【課題】  シーリングプレートやカバープレート等のスプリンクラーヘッドと天井板の穴の間を覆い隠すスプリンクラーヘッド付属品において、火災時にスプリンクラーヘッド付属品内に配置されているスプリンクラーヘッドの感熱部に火災による熱を伝えることのできるスプリンクラーヘッド付属品を提供する。【解決手段】  下端に火災時に脱落するカバープレート２１を有した筒状のリテーナーＲ１とスプリンクラーヘッドＳ１の外部に設置した筒状のサポートカップＣから構成され、リテーナーＲ１の筒部２６には複数の穴２７が穿設され、該穴２７とサポートカップＣの筒部に設けた係合部（突起１２）によりスプリンクラーヘッドＳ１と接続可能に構成した。【選択図】    図１
0003186493.tif 000002
【実用新案登録請求の範囲】
【請求項１】
天井内に埋め込んで設置されたスプリンクラーヘッドと該スプリンクラーヘッドが挿通された天井板の穴との間の隙間を覆い隠すスプリンクラーヘッド付属品であり、該スプリンクラーヘッド付属品は下端に火災時に脱落するカバープレートを有した筒状のリテーナーとスプリンクラーヘッドの外部に設置した筒状のサポートカップから構成され、リテーナーの筒部には複数の穴が穿設され該穴とサポートカップの筒部に設けた係合部によりスプリンクラーヘッドと接続可能であることを特徴とするスプリンクラーヘッド付属品。
【請求項２】
前記スプリンクラーヘッド付属品において、サポートカップに開口部を設けた請求項１記載のスプリンクラーヘッド付属品。
【請求項３】
前記スプリンクラーヘッド付属品において、リテーナーの穴の形状が前記係合部と係合する部分と、前記係合部との係合を解除する部分を有する請求項１または請求項２記載のスプリンクラーヘッド付属品。
【考案の詳細な説明】
【技術分野】
【０００１】
本考案は、消火用のスプリンクラーヘッドに装着される付属品に関するものである。
【背景技術】
【０００２】
従来のスプリンクラーヘッドの一つとして、コンシールド型スプリンクラーヘッドがある（例えば、特許文献１、２参照）。コンシールド型スプリンクラーヘッドは、スプリンクラーヘッド本体が天井内に埋め込まれて設置され、スプリンクラーヘッド本体が設置された箇所に穿設した天井板の穴を、スプリンクラーヘッド付属品である「スプリンクラーヘッドカバー」を設置して覆い隠している。
【０００３】
図４に示す特許文献１に記載されたスプリンクラーヘッドカバー４１は、２つの筒状部材とスプリンクラーヘッドを覆い隠すカバー部材から構成され、スプリンクラーヘッド本体４２に設置されたサポートカップ４３と、スプリンクラーヘッド本体４２を覆い隠すカバープレート４４、およびサポートカップ４４が下端に配置されたリテーナー４５から構成される。スプリンクラーヘッド本体４２はスプリンクラーヘッドカバー４１内に配置されている。
【０００４】
サポートカップ４３とリテーナー４５はネジ構造により接続され、リテーナー４５の高さ位置を調節可能である。より具体的に説明すると、サポートカップ４３には螺旋状の溝４６が刻設されており、リテーナー４５の外周面には溝４６と螺合可能な突起４７が形成されている。サポートカップ４３内にリテーナー４５を回転させながら挿入することでサポートカップ４３にリテーナー４５が接続できる。
【０００５】
特許文献２に記載されたスプリンクラーヘッドカバーを図５に示す。スプリンクラーヘッドカバー５１はスプリンクラーヘッド本体５２の外周面に接続可能な筒状のハウジング５３とスプリンクラーヘッド本体５２を覆い隠すカバープレート５４から構成される。スプリンクラーヘッドカバー５１のハウジング５３には周面に穴５５が穿設されており、火災時にはカバープレート５４とハウジング５３の間からハウジング５３内へ流入した熱気流が穴５５から排出されることが記載されている。この気流の流れによってスプリンクラーヘッド本体の感熱部５６に熱気流の熱が伝わり、感熱分解部５７の作動を促している。
【先行技術文献】
【特許文献】
【０００６】
【特許文献１】国際公開第２０１０／０３８２５３号
【特許文献２】実用新案登録第３１２９４３１号公報
【考案の概要】
【考案が解決しようとする課題】
【０００７】
特許文献２に記載された熱気流通過用の穴を特許文献１のスプリンクラーヘッドカバーに用いる場合において、特許文献１ではサポートカップ４３とリテーナー４５がネジ構造によって接続されており、ネジ部分に穴を穿設すると穴の縁にバリが発生してネジ部の回転動作時にバリが引っかかる等の問題が生じるおそれがある。これを防止するためにリテーナー４５の下側（カバープレート４４側）にしか穴を穿設することができなかった。そのためリテーナー４５内から外へ排出される気流の量が限られてしまい、気流の流れが少ないことでスプリンクラーヘッド４２の感熱部４２Ａに効率よく熱を伝えることができなかった。
【０００８】
そこで本考案では、上記問題に鑑み、シーリングプレートやカバープレート等のスプリンクラーヘッドと天井板の穴の間を覆い隠すスプリンクラーヘッド付属品において、火災時にスプリンクラーヘッド付属品内に配置されているスプリンクラーヘッドの感熱部に火災による熱を伝えることのできるスプリンクラーヘッド付属品の提供を目的としている。
【課題を解決するための手段】
【０００９】
上記の目的を達成するために、考案のスプリンクラーヘッド付属品は、天井内に埋め込んで設置されたスプリンクラーヘッドと該スプリンクラーヘッドが挿通された天井板の穴との間の隙間を覆い隠すスプリンクラーヘッド付属品であり、該スプリンクラーヘッド付属品は下端に火災時に脱落するカバープレートを有した筒状のリテーナーとスプリンクラーヘッドの外部に設置した筒状のサポートカップから構成され、リテーナーの筒部には複数の穴が穿設され該穴とサポートカップの筒部に設けた係合部によりスプリンクラーヘッドと接続可能なものである。
【００１０】
本考案によれば、スプリンクラーヘッド付属品とスプリンクラーヘッドの接続を、スプリンクラーヘッドの外部に設けたサポートカップの係合部である突起と、リテーナーの筒部に穿設した穴とを係合させることで接続可能である。またリテーナーの穴をスプリンクラーヘッドの係合部の数よりも多く設けることで、スプリンクラーヘッドの係合部と係合していない穴は、火災時に室内側からリテーナー内に流入してくる熱気流を通過させて天井裏へ排気させる作用を有する。これによりリテーナー内に取り込まれた熱気流からリテーナー内に配置されたスプリンクラーヘッドの感熱部に熱が吸収されスプリンクラーヘッドの作動を促す効果を有する。
【００１１】
さらに、スプリンクラーヘッドの外部に筒状のサポートカップを設置してサポートカップおよびリテーナーの外径をスプリンクラーヘッドの外径よりも大径に形成した。それによってスプリンクラーヘッドの外周とサポートカップ及びリテーナーの内周との間に空間が形成され、該空間により多くの気流を流入させることが可能となり、特許文献２のものよりも感熱部に熱を伝える効率を向上することができる。
【００１２】
前記本考案は、サポートカップに開口部を設けることができる。
サポートカップとリテーナーの接続は、リテーナーの穴とサポートカップの係合部（突起）により係合可能であるので、特許文献１のようにネジ構造を有していないことからサポートカップの突起以外の場所に開口を設けることが可能となった。サポートカップに開口を設けたことで、リテーナー内に流入された熱気流をより多くサポートカップの外に排出することができる。
【００１３】
前記本考案は、リテーナーの穴の形状が前記係合部と係合する部分と、前記係合部との係合を解除する部分を有する。
リテーナーの穴の形状を例えば菱形にすることで、菱形の中心部分においてはサポートカップの係合部である半球型の突起と係合状態にあり、菱形の角部では突起との係合が外れて係合解除されるものである。より具体的に説明すると、リテーナーの菱形形状の穴とサポートカップの係合部である突起が係合状態にあるときは、突起は菱形の穴の中心部分に位置しており突起が穴に完全に収まった状態である。リテーナーを回転させると突起が菱形の穴の角部に近づき突起の先端側のみが穴と係合し、突起の根元側は穴から抜け出た状態になる。さらにリテーナーを回転させると、突起の先端も穴から外れる。このように突起と穴の係合状態を解除する際にはリテーナーを回転させることで容易に係合解除可能である。
【考案の効果】
【００１４】
上記に説明したように本考案によれば、火災時にカバープレートとリテーナーの間の隙間からリテーナー内に流入してくる熱気流を効率的に天井裏へ排出することで熱気流の流れをつくり、熱気流からスプリンクラーヘッドの感熱体に熱を吸収させて作動を促すことができる。
【図面の簡単な説明】
【００１５】
【図１】本考案のスプリンクラーヘッドの断面図
【図２】サポートカップとリテーナーの係合から係合解除までの説明図
【図３】本考案のリテーナーの変形例
【図４】特許文献１のスプリンクラーヘッドの断面図
【図５】特許文献２のスプリンクラーヘッドの断面図
【考案を実施するための最良の形態】
【００１６】
本考案の実施形態を図１から図３を参照して説明する。図１に示すスプリンクラーヘッドＳ１の上端側は、内部に図示しないノズルを有しており給水配管１と接続している牡ネジ２が形成されている。牡ネジ２の根元付近から図中下方に延出された２本のアーム３は、ノズルの延長上で接続されボス部４を形成している。ノズルは弁５により閉塞されており、ボス部４と弁５の間には感熱部としてグラスバルブ６が介在して設置され、ノズルの閉塞状態を維持している。
【００１７】
スプリンクラーヘッドＳ１の下端側には、ノズルより放出された水を四方へ飛散させる板状のデフレクター７が設けられ、デフレクター７がガイドピン８を介してアーム３と接続されている。ガイドピン８はアーム３に穿設された穴３Ａを貫通して設置されているのでデフレクター７は図中上下に移動可能となっている。
【００１８】
サポートカップＣは筒状であり、一端側は牡ネジ２の根元付近に固定して取り付けられており、その周囲には開口１１が形成されている。周面には内側に突出した半球型の突起１２が複数設置されている。サポートカップＣの内径は後述のリテーナーＲ１の筒部外径より大径である。
【００１９】
サポートカップＣと係合するリテーナーＲ１は筒状であり、下端にはカバープレート２１が設置されている。カバープレート２１はリテーナーＲ１の下端の脚２２と低融点合金２３により接合されており、火災時には低融点合金２３が溶融してカバープレート２１が落下する。低融点合金２３はグラスバルブ６の作動温度より低い温度で溶融するものを用いると、スプリンクラーヘッドＳ１が作動する前にカバープレート２１を落下させることができる。
【００２０】
脚２２よりやや上方には外側に拡張したフランジ２４が形成されている。フランジ２４の上面は施工時に天井ボード３１と接触して設置される。フランジ２４とカバープレート２１の間には室内の気流をリテーナーＲ１内に取り込む隙間２５が形成されている。
【００２１】
リテーナーＲ１の筒部２６には、複数の穴２７が穿設されている。図１において穴２７は菱型をしている。このような菱形の穴を形成するには筒部２６にフランジ２４と水平な切り込みを予め入れておき、筒部２６の両端を長手方向へ伸ばすことで菱形の穴２７を形成することが可能である。穴２７の大きさはサポートカップＣの突起１２の根元部分の径よりも大きい。リテーナーＲ１の筒部外径はサポートカップＣの筒部内径より小径であり、サポートカップＣ内に挿通可能である。
【００２２】
次に、上記に説明したスプリンクラーヘッド付属品をスプリンクラーヘッドに設置する手順について説明する。
【００２３】
図１に示すように、スプリンクラーヘッドＳ１は天井裏の給水配管１に接続されており、室内側からは天井ボード３１に穿設した穴３２からデフレクター７が突出した状態にある。先ずリテーナーＲ１の筒部を穴３２内のサポートカップＣへ挿通させる。するとサポートカップＣ内の突起１２とリテーナーＲ１の穴２７が係合する。この状態でリテーナーＲ１を回転させながら天井ボード３１側へ押し込み、フランジ２４が天井ボード３１に接する位置にリテーナーＲ１の位置を調整する。
【００２４】
リテーナーＲ１の位置を調整する際、図２（ａ）に示すように係合状態の突起１２と穴２７はリテーナーＲ１を回転させることで突起１２が菱形の穴２７の角部２７Ａ付近に移動して突起１２の先端側のみが穴２７と係合した状態となる（図２（ｂ））。さらにリテーナーＲ１を回転させると突起１２はさらに角部２７Ａ側へ移動して、ついには突起１２が穴２７から抜け出して係合状態が解除される（図２（ｃ））。係合が解除された状態でリテーナーＲ１を回転させると突起１２は先ほど係合していた穴２７の近隣の穴２７と係合する。
【００２５】
従ってリテーナーＲ１を回転させながら天井ボード３１側へ押し込むと、突起１２は穴２７と係合・係合解除を繰り返しながら近隣の穴２７へ移動し、リテーナーＲ１のフランジ２４を天井ボード３１に近づけることができる。
【００２６】
続いて火災が発生した場合の動作について説明する。
【００２７】
火災が発生すると火災の熱によって暖められた空気が熱気流となり上昇して天井ボード３１の下側に滞留する。この熱気流はカバープレート２１とフランジ２４の隙間２５からリテーナーＲ１内に流入する。リテーナーＲ１内に流入した熱気流は穴２７およびサポートカップＣの開口１１を通過して天井裏へ排出される。熱気流をリテーナーＲ１内へ通過させることでグラスバルブ６を加熱してスプリンクラーヘッドの作動を促す効果がある。
【００２８】
また熱気流はカバープレート２１とリテーナーＲ１を接合していた低融点合金に熱を伝え、低融点合金を溶融させる。低融点合金が溶融したことでカバープレート２１は落下し、リテーナーＲ１内のスプリンクラーヘッドＳ１が露出する。続いてスプリンクラーヘッドＳ１のグラスバルブ６が熱により破裂作動して弁５が開放され、ノズルより水が放出される。ノズルより放出された水はデフレクター７に衝突して四方へ飛散し、火災の消火を行う。
【００２９】
上記の実施形態の変形例として、図３（ａ）に示すようにリテーナーＲ１に穿設された穴２７を矩形に形成することも可能である。さらに同図（ｂ）では穴２７を滴型に形成して穴２７の尖った部分２７Ｂが先に説明した角部２７Ａと同様の作用を有している。突起１２が穴２７に係合した状態で尖った部分２７Ｂの方向に突起１２を移動させた場合に係合解除可能である。これより係合解除可能な方向を限定することができる。
【００３０】
また同図（ｃ）では穴２７を連続して形成したものであり、連続した複数の穴の間に穴の幅が狭い狭部２７Ｃが設けられており、この狭部２７Ｃに沿って突起１２の先端が狭部２７Ｃと係合した状態で突起１２を移動させることが可能である。なお図３の変形例では、穴２７が筒部２６の一部分のみに穿設されているが、図１と同様に筒部２６の全面に穴２７を穿設することも可能である。
【００３１】
また上記の実施形態においてはコンシールド型スプリンクラーヘッドに設置される「スプリンクラーヘッドカバー」についてのみ説明したが、これに限らず、主にフラッシュ型スプリンクラーヘッドに設置される「シーリングプレート」に本考案を適用することも可能である。
【符号の説明】
【００３２】
１  給水配管  
２  牡ネジ  
３  アーム  
４  ボス部  
５  弁  
６  グラスバルブ  
７  デフレクター  
８  ガイドピン  
１１  開口  
１２  突起（係合部）  
２１  カバープレート  
２２  脚  
２３  低融点合金  
２４  フランジ  
２４  隙間  
２６  筒部  
２７  穴  
Ｃ  サポートカップ  
Ｒ１  リテーナー  
Ｓ１  スプリンクラーヘッド  
【図１】
0003186493.tif 000003
【図２】
0003186493.tif 000004
【図３】
0003186493.tif 000005
【図４】
0003186493.tif 000006
【図５】
0003186493.tif 000007